(57)【要約】【課題】  チャックテープ付き袋の分野において、袋が立体形状を有し、自立性を備えると共に、チャックテープの袋への熱接着を安定して能率よく行え、内容物の充填適性のほか開封性及び再封性にも優れたチャックテープ付き袋を生産性よく提供する。【解決手段】  袋を上下にガセット部3a,3b を設けた形式で形成し、上部のガセット部3aの前後の襞状部4a,4b のうち、一方の襞状部4bにその前後の積層フィルム1 を上方に延長して延長部5 を設け、該延長部5 の内面に水平方向にチャックテープ20を熱接着すると共に、該延長部5 の上部の端縁部を上部シール部7 で封止し、更に上部シール部7 とチャックテープ20との間に袋の開封手段を設けてチャックテープ付き袋を構成する。【選択図】        図１
2005231677.tif 000002
【特許請求の範囲】
【請求項１】
袋の上下に積層フィルムを内側に折り返してなるガセット部が設けられた袋において、上部のガセット部の前後の襞状部のうち、一方の襞状部に、該襞状部の前後の積層フィルムを上方に延長してなる延長部が設けられ、該延長部の内面に水平方向にチャックテープが設けられると共に、該延長部の上側端縁部がヒートシール部で封止され、更に、該ヒートシール部とチャックテープとの間に、袋の開封手段が設けられていることを特徴とするチャックテープ付き袋。
【請求項２】
前記チャックテープの下側に剥離可能な弱シール部が設けられ、該チャックテープが袋の内部と隔離されていることを特徴とする請求項１記載のチャックテープ付き袋。
【請求項３】
前記上下のガセット部のそれぞれの前後の襞状部のうち、前記延長部を設けた襞状部を除く３箇所の襞状部の外側端縁部に補強シール部が設けられていることを特徴とする請求項１または２に記載のチャックテープ付き袋。
【請求項４】
前記チャックテープのテープ体部が、少なくとも二層の樹脂層で形成され、袋に熱接着される面の樹脂層に対して、反対側の面の樹脂層が相対的に高融点の樹脂で形成されていることを特徴とする請求項１乃至３のいずれかに記載のチャックテープ付き袋。
【発明の詳細な説明】
【技術分野】
【０００１】
本発明は、チャックテープ付き袋に関し、特に袋本体が立体形状を有し、自立性を備えると共に、その上部にチャックテープが、その接着速度が低下するようなこともなく安定して熱接着され、また、内容物の充填適性などが損なわれることもなく、良好な再封性が付与されたチャックテープ付き袋に関する。
【背景技術】
【０００２】
従来、立体形状を有し、自立性を備えた袋としては、代表的な例として、スタンディングパウチ形式の袋ほか、ガセットパウチ形式の袋などがある。
このような袋は、袋の材料に積層フィルムを用いてヒートシール方式で製袋することにより、密封性に優れると共にガスバリヤー性などにも優れた袋とすることができ、また、内容物の容量の割にコンパクトに包装することができる。従って、内容物として液状の内容物のほか、粉状や粒状、その他、固形物など広範囲の内容物に使用されるようになっている。
そして、内容物の使用方法に関しても、一回で使い切る用途のほか、複数回に分割して使用する用途にも採用されるようになっており、その場合、袋に再封性が求められることから、充填される内容物に応じて、例えば、袋の上部にキャップ付きの注出口やチャックテープを取り付けた袋が製造されるようになっている。
【０００３】
特に、内容物が固形物や粒状物の場合、取り出しを容易にするため、開口部を大きくできるチャックテープが主に使用されており、チャックテープ付きのスタンディングパウチやガセット袋が製造されている。
只、チャックテープ付きスタンディングパウチの場合は、袋の上部が単純な積層フィルムの二枚構成であるため、チャックテープの取り付けは容易であるが、内容物の充填を袋の上部から行うため、内容物の充填の際に、一旦取り付けて嵌合されたチャックテープを解離させて袋の上部を開口し、その開口部から内容物を充填した後、再度チャックテープを嵌合させ、その外側をヒートシールして完全密封する方法が採られており、内容物充填時の操作が煩雑になる問題があった。
【０００４】
また、チャックテープ付きガセット袋の場合は、製袋の際、通常、ロール状に巻き上げられた長尺で広幅の積層フィルムを引き出して、その両側を折り返してガセット部を形成し、折り返された両側の積層フィルムの端縁部同士を合掌シール形式でヒートシールして、左右両側にガセット部を設けた筒状体を形成しており、一方の開口部にチャックテープを取り付けた場合でも、もう一方の開口部を内容物の充填口に使用できるので内容物の充填適性が損なわれることはない。
しかし、この場合でも、例えば、袋の上部にチャックテープを取り付ける際、袋の積層フィルムの流れ方向とチャックテープの取り付け方向とが異なり、また、袋の上端は開放されているが、左右の側部は積層フィルムの折り返し部で閉鎖されているため、チャックテープの挿入が難しく、チャックテープの取り付け自体が容易ではないという問題がある。
【０００５】
このため、ガセット袋へのチャックテープの取り付け方法が、種々研究され開発されている。このようなガセット袋へのチャックテープの取り付け方法に関連する先行技術文献情報としては、例えば、〔１〕「ジッパ付きガセット袋およびその製造方法」として、ガセット袋を構成する前後の平面部と、折り襞状に内方に折り込まれた折り線を備えるように形成された２つの側面とを有する筒状の袋本体部を一般に行われている方法で一旦形成した後、袋本体部の口部を開くために、袋本体部の４隅のうち、いずれか一方の平面部の両端となる２隅の位置から、それぞれ、内方へ所定の距離まで切り込みを入れ、折り曲げ可能な扉状の開き面を２つ形成し、その開き面の上にジッパの雄型部材と雌型部材をそれぞれ固着させ、次いで、前後の開き面を閉じてジッパを嵌合させ、しかる後、上記切り込みを入れた箇所の近傍および上部端部を融着して形成したジッパ付きガセット袋がある（特許文献１参照）。
【０００６】
また、〔２〕「チャックテープ付きガセット袋およびその製造方法」として、特に製造方法に関して、「袋の本体部が、左右両側にガセット部を有する筒状に形成され、該袋本体部の四隅の側部の端縁部が側部シール部でヒートシールされる形式の袋で、その袋の口部となる一方の開口端近傍の内面に開閉自在なチャックテープが熱接着されてなるチャックテープ付きガセット袋の製造方法であって、袋の本体部を、最内層にシーラント層が積層された長尺の積層フィルムを長手方向に送りながら、その左右両側をシーラント層が内側になるように折り返して、内側に折り襞状の折り返し部を有するガセット部を形成し、折り返された両側の積層フィルムの端部のシーラント層同士を一方の側部で重ね合わせて筒状の袋本体部を形成するか、または、前記積層フィルムを、袋本体部の前後の平面部用と左右のガセット部用の四つに分割し、それぞれのシーラント層が袋の内側になるように長手方向に送りながら、上下に平行して送られる平面部用の積層フィルムの両側の間に、ガセット部用の積層フィルムをそれぞれ内側に半折りして折り襞状の折り返し部を形成して挿入し、筒状の袋本体部を形成すると共に、その袋本体部を前記長手方向に所定のピッチで間欠送りしながら、その袋本体部の一隅の側部から、チャックテープをガイドにより横方向（袋の送り方向と直交する方向）に対向する側部の端部まで、両側の折り襞状の折り返し部の互いに異なる側に対角線状に挿入し、次いで、挿入されたチャックテープを袋の外側から加熱、加圧して袋の内面に熱接着して取り付ける方法がある（特許文献２参照）。
【特許文献１】特開平５−２７０５５２号公報（第２頁、図２〜図５）
【特許文献２】特開２００３−１５５０４５号公報（第２頁、図２、図３）
【０００７】
しかしながら、前記特許文献１に記載された「ジッパ付きガセット袋およびその製造方法」では、筒状の袋本体部の形成と、ジッパの接着が別工程となり、更にジッパの取り付けに際して、一旦筒状に形成した袋本体部のいずれか一方の平面部の両端の２隅の位置から、それぞれ、内方へ所定の距離まで切り込みを入れ、折り曲げ可能な扉状の開き面を２つ形成し、その開き面の上にジッパの雄型部材と雌型部材をそれぞれ別々に熱接着し、次いで、前後の開き面を閉じてジッパを嵌合させており、更に、前記切り込みを入れた箇所の近傍および上部端部を融着してジッパ付きガセット袋を完成させており、製造工程が煩雑になると同時に品質管理にも手間がかかり、生産性の低下も避けられない問題があった。また、ジッパの接着面も一方は平面部であるが、もう一方にはガセット部の折り襞状部が両側に介在するため、フィルムの厚みに段差を生じ、ジッパの熱接着に際して、シール抜けなどを発生し易い問題もあった。
【０００８】
また、前記特許文献２に記載された「チャックテープ付きガセット袋およびその製造方法」では、ガセット袋の製袋とチャックテープの熱接着とをインラインで行うことができ、製造工程がそれほど煩雑になることもないので生産性よくチャックテープ付きガセット袋を製造することができる。只、この場合も、袋のチャックテープの接着面にはガセット部の折り襞状部が介在するため、チャックテープの熱接着に際して、シール抜けなどのシール不良を発生し易い問題があり、それを防止するための対策が必要であった。
【発明の開示】
【発明が解決しようとする課題】
【０００９】
本発明は、前記のような問題点を解決するためになされたものであり、その課題は、チャックテープ付き袋の分野において、袋本体が立体形状を有し、自立性を備えると共に、密封性にも優れ、内容物の容量の割にコンパクトに包装することができ、また、袋へのチャックテープの熱接着を、シール抜けなどのシール不良を発生することなく安定して能率よく行え、更に、内容物の充填適性にも優れ、良好な再封性が付与されたチャックテープ付き袋を生産性よく提供することである。
【課題を解決するための手段】
【００１０】
上記の課題は、以下の本発明により解決することができる。
即ち、請求項１に記載した発明は、袋の上下に積層フィルムを内側に折り返してなるガセット部が設けられた袋において、上部のガセット部の前後の襞状部のうち、一方の襞状部に、該襞状部の前後の積層フィルムを上方に延長してなる延長部が設けられ、該延長部の内面に水平方向にチャックテープが設けられると共に、該延長部の上部の端縁部がヒートシール部で封止され、更に、該ヒートシール部とチャックテープとの間に、袋の開封手段が設けられていることを特徴とするチャックテープ付き袋からなる。
【００１１】
本発明において、上記チャックテープは、互いに嵌合可能な凸条の雄型嵌合部が設けられた雄型テープ体と、凹条の雌型嵌合部が設けられた雌型テープ体とで構成され、袋の開口部の内面に、両者をその雄型嵌合部と雌型嵌合部とが対向するように配置し、そのテープ体部で袋に熱接着して取り付け、前記雄型嵌合部と雌型嵌合部との嵌合または解離により、袋の開閉を容易に、且つ繰り返し行えるようにするものである。
尚、図７の（イ）、（ロ）、（ハ）、（ニ）に、それぞれ本発明のチャックテープ付き袋に用いるチャックテープの一例の構成を示したので、後で詳しく説明する。
【００１２】
また、前記袋の開封手段は、印刷で表示された切り取り線などの開封指示線や開封指示マークであってもよく、また、実際の引き裂きによる開封操作を容易にする以下のような易開封性手段であってもよい。更にこれらの複数を適宜組み合わせて設けたものであってもよい。
上記易開封性手段としては、例えば、通常の積層フィルム製の袋でも汎用されているノッチを設ける方法のほか、レーザー光照射などによるハーフカット線を設ける方法、或いは、袋の積層フィルムの中間層などに易引き裂き性の一軸延伸フィルムを積層する方法（この場合、一軸延伸フィルムは、その延伸方向が袋の開封方向と一致するように積層する）などがあり、これらは単独で用いてもよく、また、例えば、ノッチとハーフカット線、またはノッチと一軸延伸フィルムの積層などのように組み合わせて用いてもよい。
前記ノッチは、通常、一字形やＶ字形のノッチが汎用されているが、形状は特に限定はされず、切り取り方向に鋭角部分を有する形状であれば何でも使用することができる。また、ハーフカット線を設ける場合も、直線状のハーフカット線に限らず、ミシン目線状などの断続的なハーフカット線で設けることもできる。更に、このようなハーフカット線は、一本でもよいが、引き裂き方向がずれた場合を想定して、中心のハーフカット線の両側に各１本、または各２本など複数のハーフカット線を平行に近接させて設けてもよい。
【００１３】
また、請求項２に記載した発明は、前記チャックテープの下側に剥離可能な弱シール部が設けられ、該チャックテープが袋の内部と隔離されていることを特徴とする請求項１記載のチャックテープ付き袋からなる。
【００１４】
前記剥離可能な弱シール部は、チャックテープ付き袋に内容物を充填シールした後、その包装体の流通段階など通常の取り扱いでは剥離せず、袋を開封する際に、チャックテープの嵌合を解離させた後、弱シール部を手で剥がそうとした時には、大きな抵抗がなく適度の力で剥離できるようにするものであり、そのためには弱シール部の接着強度は、２〜１６Ｎ／１５ｍｍ幅の範囲であることが好ましい。
このような弱シール部は、例えば、イージーピール性のヒートシール剤、または抗ヒートシール剤と呼ばれるヒートシール強度調節剤の塗布液をグラビア印刷またはフレキソ印刷などの手段で袋の内面のシーラント層の上の必要箇所にパターン状に塗布、乾燥しておいて、その塗布面同士を重ね合わせてヒートシールする方法で形成することができる。
【００１５】
前記イージーピール性のヒートシール剤としては、例えば、低密度ポリエチレンやエチレン−酢酸ビニル共重合体などのポリオレフィン系樹脂に、ポリスチレン、塩素化ポリプロピレン、ポリブテン−１、無機または有機の充填剤、ポリエチレンワックス、脂肪酸アマイドなどを添加剤として適宜に混合した樹脂組成物などを塗布液に調製して使用することができる。
前記無機または有機の充填剤は、無機の充填剤としては、シリカ、炭酸カルシウム、タルク、カオリン、クレー、酸化チタン、アルミナ、水酸化アルミニウムなどの粉末を使用することができ、特にシリカの粉末が好ましい。また、有機の充填剤としては、メラミン樹脂、尿素樹脂、アルキッド樹脂、エポキシ樹脂、アクリル樹脂、ポリスチレン、フッ化エチレン系樹脂、シリコーン樹脂などの粉末を使用することができる。
前記樹脂組成物中の前記添加剤の含有量は、４〜４０質量％の範囲が好ましく、添加剤の含有量が４質量％未満の場合は、ヒートシール強度が強くなり、良好な弱シール部を得られず、また、添加剤の含有量が４０質量％を超える場合は、ヒートシール強度が弱くなりすぎるため好ましくない。
上記のようなイージーピール性のヒートシール剤の塗布量は、乾燥時の塗布量で２〜８ｇ／ｍ2 が好ましく、３〜５ｇ／ｍ2 が更に好ましい。
【００１６】
また、前記弱シール部を抗ヒートシール剤で形成する場合は、その抗ヒートシール剤としては、基材の樹脂に離型剤を適宜の量で混合した樹脂組成物を塗布液に調製して使用することができる。この基材の樹脂には、例えば、エチルセルロース、環化ゴム、アクリル系樹脂などを使用することができ、離型剤には、例えば、シリコーン樹脂、ポリエチレンワックス、大豆レシチン、高級脂肪酸アマイドなどを使用することができる。抗ヒートシール剤を塗布する場合、その塗布量は少なくてよく、乾燥時の塗布量で、０．３５〜２．５ｇ／ｍ2 程度の範囲でよい。
【００１７】
請求項３に記載した発明は、前記上下のガセット部のそれぞれの前後の襞状部のうち、前記延長部を設けた襞状部を除く３箇所の襞状部の外側端縁部に補強シール部が設けられていることを特徴とする請求項１または２に記載のチャックテープ付き袋からなる。
【００１８】
請求項４に記載した発明は、前記チャックテープのテープ体部が、少なくとも二層の樹脂層で形成され、袋に熱接着される面の樹脂層に対して、反対側の面の樹脂層が相対的に高融点の樹脂で形成されていることを特徴とする請求項１乃至３のいずれかに記載のチャックテープ付き袋である。
【発明の効果】
【００１９】
請求項１に記載した発明によれば、チャックテープ付き袋を、袋の上下に積層フィルムを内側に折り返してなるガセット部が設けられた袋において、上部のガセット部の前後の襞状部のうち、一方の襞状部に、該襞状部の前後の積層フィルムを上方に延長してなる延長部を設け、該延長部の内面に水平方向にチャックテープを設けると共に、該延長部の上部の端縁部をヒートシール部で封止し、更に、該ヒートシール部とチャックテープとの間に、袋の開封手段を設けた構成としているので、内容物の充填前は、左右の側部のうち、一方の側部のみをヒートシールし、もう一方の側部を未シールの開口部とすることにより、この部分から内容物を容易に充填し、充填後、ヒートシールして密封することができる。従って、チャックテープ付きスタンディングパウチのように、内容物の充填の際に、嵌合されたチャックテープの解離および再嵌合を行う必要がなく、充填操作を簡略化でき、生産性を低下させることもない。
【００２０】
また、チャックテープの熱接着に関しても、前記延長部の内面に水平方向に設けられているので、袋の製袋を、袋が横並びに連続する形態で行うことにより、予め雄型テープ体と雌型テープ体とが嵌合された長尺のチャックテープを、そのまま前記延長部の内面に連続的に挿入して外側からチャックテープのテープ体部を加熱、加圧する方法で熱接着することができる。従って、チャックテープの熱接着面には、通常のガセット袋のようにガセット部のフィルムの折り込み部が介在することもなく、両面とも平面部に熱接着できるので、接着速度を低下させることなく安定して熱接着することができる。
【００２１】
そして、内容物が充填された袋は、上下のガセット部により前後に大きく広がり、立体形状を有すると共に、下部のガセット部の広がりにより自立性が付与される。従って、袋の取り扱いが容易になると同時に、内容物の容量の割にコンパクトに包装することができる。
また、上部のガセット部の一方の襞状部には、前記延長部が設けられ、該延長部の内面に水平方向にチャックテープが設けられると共に、該延長部の上部の端縁部がヒートシール部で封止され、更に、該ヒートシール部とチャックテープとの間には、前記袋の開封手段が設けられているので、密封性に優れると共に、内容物を取り出す際には、前記袋の開封手段により、容易に上部の端縁部のヒートシール部を切り取ってチャックテープの外側を開封することができる。次いで、チャックテープの嵌合を解離させることにより、袋の上部を大きく開口させることができる。従って、内容物が、粉状や粒状の場合はもとより、板状、ブロック状などの固形物の場合でも容易に取り出すことができる。また、内容物の一部を取り出し、残りの内容物を次回の使用時まで保存する場合でも、チャックテープを再嵌合させることにより、容易に袋を再封することができるので、内容物を安全に保存することができる。
【００２２】
請求項２に記載した発明によれば、請求項１に記載した発明のチャックテープ付き袋の構成において、前記チャックテープの下側に剥離可能な弱シール部が設けられ、該チャックテープが袋の内部と隔離された構成としているので、請求項１に記載した発明の作用効果に加えて、内容物が液状や粉状のものであっても、少なくとも最初の開封前に内容物がチャックテープに触れることがなくなり、内容物の安全性を維持できると共に、内容物がチャックテープの嵌合部などに付着してチャックテープの機能を阻害することも防止することができる。
【００２３】
請求項３に記載した発明によれば、請求項１または２に記載した発明のチャックテープ付き袋の構成において、前記上下のガセット部のそれぞれの前後の襞状部のうち、前記延長部を設けた襞状部を除く３箇所の襞状部の外側端縁部に補強シール部を設けた構成としているので、請求項１または２に記載した発明の作用効果に加えて、袋に内容物が充填されて袋が前後に広がった時、それぞれの補強シール部により、その内側ラインに沿って袋に角部が形成され、袋の立体形状の保形性が向上される。この時、前記延長部を設けた襞状部についても、チャックテープの下側に剥離可能な弱シール部が設けられているので、その弱シール部が補強シール部と同様な作用効果を有し、弱シール部にもその内側ラインに沿って角部が形成される。従って、袋本体の上下および前後の四隅に横方向に線状に角部が形成され、袋本体の縦断面が矩形に近づき、その立体形状を一層安定化させることができる。
【００２４】
請求項４に記載した発明によれば、請求項１乃至３のいずれかに記載した発明のチャックテープ付き袋の構成において、前記チャックテープのテープ体部が、少なくとも二層の樹脂層で形成され、袋に熱接着される面の樹脂層に対して、反対側の面の樹脂層が相対的に高融点の樹脂で形成された構成としているので、チャックテープを袋の前記延長部の内面に熱接着して取り付ける際、予め雄型テープ体と雌型テープ体とを嵌合させた状態で、前記延長部の内面に挿入し、外側からそのテープ体部を加熱、加圧して熱接着しても、袋に熱接着される面の樹脂層が先に軟化して袋の最内層のシーラント層に熱接着され、雄型テープ体と雌型テープ体が接する面の樹脂層は高融点の樹脂であるため軟化されず、テープ体同士が熱接着されることがないので、より高温での熱接着が可能となる。従って、請求項１乃至３のいずれかに記載した発明の作用効果に加えて、チャックテープの高温、短時間での熱接着が可能となり、熱接着速度を高められ、生産性を一層向上させることができる。
【発明を実施するための最良の形態】
【００２５】
以下、図面を参照しながら本発明の実施の形態について説明する。但し、本発明は、その要旨を越えない限り、これらの図面に限定されるものではない。
【００２６】
図１は、本発明のチャックテープ付き袋の第１の実施例の構成を示す正面図である。
図２は、図１に示したチャックテープ付き袋のＡ−Ａ線における模式断面図である。
図３は、本発明のチャックテープ付き袋の第２の実施例の構成を示す正面図である。
図４は、図３に示したチャックテープ付き袋のＡ−Ａ線における模式断面図である。
図５は、本発明のチャックテープ付き袋の第３の実施例の構成を示す正面図である。
図６は、図５に示したチャックテープ付き袋に内容物を充填した時の形状を示す模式斜視図である。
図７の（イ）、（ロ）、（ハ）、（ニ）は、それぞれ本発明のチャックテープ付き袋に用いるチャックテープの一例の構成を示す模式断面図である。
【００２７】
本発明のチャックテープ付き袋に用いる積層フィルムとしては、主にプラスチックを主体とする積層フィルムで、最内層にシーラント層が積層された積層フィルムが用いられるが、特に限定はされず、充填される内容物や使用条件などに応じて種々の構成の積層フィルムを使用することができる。
簡単な構成では、基材フィルム層にシーラント層を積層して構成することができるが、要求される性能に応じて、基材フィルム層とシーラント層との間に、中間層として、水蒸気その他のガスバリヤー層や、遮光層、強度向上層などを積層して構成することができる。上記基材フィルム層、中間層、シーラント層は、それぞれを単独の層で形成してもよいが、複数の層を積層して形成してもよい。
【００２８】
上記基材フィルム層には、二軸延伸ポリプロピレンフィルムのほか、二軸延伸ポリエチレンテレフタレートフィルム、二軸延伸ポリエチレンナフタレートフィルムなどの二軸延伸ポリエステルフィルムや、ナイロン６、ナイロン６６、ＭＸＤ６（ポリメタキシリレンアジパミド）などのフィルムを二軸延伸した二軸延伸ポリアミドフィルムなどを好適に使用することができる。これらは単独で使用してもよく、また、複数を組み合わせて積層して使用してもよい。
【００２９】
中間層をガスバリヤー層とする場合、中間層には、エチレン・酢酸ビニル共重合体ケン化物（ＥＶＯＨ）、ポリ塩化ビニリデン（ＰＶＤＣ）、ポリアクリロニトリル（ＰＡＮ）、ＭＸＤ６などのフィルムのほか、アルミニウム箔などの金属箔、或いは、シリカ、アルミナ、アルミニウムなどの無機酸化物や金属の蒸着層、その他ＰＶＤＣの塗膜層などを設けた二軸延伸ナイロンフィルム（ＯＮフィルム）、二軸延伸ポリエチレンテレフタレートフィルム（ＰＥＴフィルム）、二軸延伸ポリプロピレンフィルム（ＯＰＰフィルム）などを使用することができる。
これらのうち、アルミニウム箔またはアルミニウムの蒸着層を設けたフィルムは、不透明で遮光性を有するため遮光層を兼ねることもできる。
中間層を強度向上層とする場合は、前記基材フィルムのいずれかを適宜追加して積層してもよく、また、二軸延伸高密度ポリエチレンフィルムなどを防湿層を兼ねて積層してもよい。
上記基材フィルム層と中間層の積層には、公知のドライラミネーション法または押し出しラミネーション法（サンドイッチラミネーション法）を用いることができる。
【００３０】
最内層のシーラント層には、低密度ポリエチレン（ＬＤＰＥ）、直鎖状低密度ポリエチレン（Ｌ・ＬＤＰＥ）のほか、シングルサイト触媒を用いて重合したエチレン・α−オレフィン共重合体、エチレン・酢酸ビニル共重合体（ＥＶＡ）、エチレン・アクリル酸共重合体（ＥＡＡ）、エチレン・メタクリル酸のランダム共重合体（ＥＭＡＡ）、そして、エチレン・アクリル酸メチル共重合体（ＥＭＡ）、エチレン・アクリル酸エチル共重合体（ＥＥＡ）などのエチレン・アクリル酸エステル共重合体、アイオノマー、ポリプロピレンまたはその共重合体などを使用することができ、これらの中から、充填される内容物に応じて、適するものを適宜に選定して使用することができる。
シーラント層の積層は、上記の樹脂をフィルム状に製膜し、そのフィルムをドライラミネーション法または押し出しラミネーション法で積層する方法、或いは、上記の樹脂を押し出しコートして積層する方法などを採ることができるが、例えば、内容物がシーラント層に浸透しやすいものの場合は、接着強度に優れたドライラミネーション法で積層することが好ましい。
【００３１】
次に、本発明のチャックテープ付き袋に用いるチャックテープは、その雄型テープ体および雌型テープ体とも、単独の樹脂で形成したものも使用できるが、その場合、前述したように雄型テープ体と雌型テープ体とを予め嵌合させた状態で袋に熱接着すると、テープ体同士の熱接着が生じやすくなるため、高温、短時間での熱接着が難しくなり生産性を低下させる点で不利になる。
従って、本発明のチャックテープ付き袋に用いるチャックテープは、そのテープ体部が少なくとも二層の樹脂層で形成され、袋に熱接着される面の樹脂層に対して、反対側の面の樹脂層が相対的に高融点の樹脂で形成されていることがより好ましく、例えば、図７の（イ）、（ロ）、（ハ）、（ニ）に示したように構成することができる。
このような多層構成のチャックテープは、例えば、多層異形共押し出し成形法により生産性よく製造することができる。
【００３２】
図７の（イ）に示したチャックテープ２０a は、互いに嵌合可能な凸条の雄型嵌合部２１を設けた雄型テープ体２３と、凹条の雌型嵌合部２２を設けた雌型テープ体２４とで構成され、且つ、雄型テープ体２３と雌型テープ体２４の少なくとも袋に熱接着されるテープ体部を、袋に熱接着される面の樹脂層２５とその反対側の面の樹脂層２６の二層の樹脂層で形成して構成したものでる。尚、この構成の場合、雄型嵌合部２１および雌型嵌合部２２は、いずれも袋に熱接着される面の樹脂層２５の反対側の面の樹脂層２６と同じ樹脂で形成したものである。
【００３３】
このような構成を採ることにより、前記雄型テープ体２３および雌型テープ体２４のテープ体部の袋に熱接着される面の樹脂層２５は、袋のシーラント層に用いた樹脂と同じ樹脂もしくはそれと熱接着性のよい樹脂で形成し、その反対側の面の樹脂層２６は、前記袋に熱接着される面の樹脂層２５に用いた樹脂よりも融点の高い樹脂で形成することができる。
具体的には、袋に熱接着される面の樹脂層２５には、例えば、前記袋のシーラント層に挙げた樹脂、即ち、低密度ポリエチレン（ＬＤＰＥ）、直鎖状低密度ポリエチレン（Ｌ・ＬＤＰＥ）のほか、シングルサイト触媒を用いて重合したエチレン・α−オレフィン共重合体、エチレン・酢酸ビニル共重合体（ＥＶＡ）、エチレン・アクリル酸共重合体（ＥＡＡ）、エチレン・メタクリル酸のランダム共重合体（ＥＭＡＡ）、そして、エチレン・アクリル酸メチル共重合体（ＥＭＡ）、エチレン・アクリル酸エチル共重合体（ＥＥＡ）などのエチレン・アクリル酸エステル共重合体、アイオノマー、ポリプロピレンまたはその共重合体などのうち、実際にシーラント層に使用した樹脂と同じ樹脂、もしくはそれと熱接着性がよく融点が比較的低い樹脂を選定して使用することができる。
そして、袋に熱接着される面の樹脂層２５の反対側の面の樹脂層２６には、前記袋に熱接着される面の樹脂層２５に使用する樹脂として挙げた樹脂に、更に、中密度ポリエチレンや高密度ポリエチレンなどの融点の高い樹脂を加えた中から、前記袋に熱接着される面の樹脂層２５に使用した樹脂よりも融点の高い樹脂を選定して使用することができる。
【００３４】
尚、前記樹脂層２５に用いる樹脂と、樹脂層２６に用いる樹脂の融点の差は、５〜２５℃程度の範囲であることが好ましい。融点の差が５℃未満の場合は、チャックテープを取り付ける際の加熱温度をそれほど高くできないため、チャックテープの取り付け速度の向上効果を十分には得られず、また、融点の差が２５℃を超える場合は、既に十分な高温加熱が可能で、チャックテープの取り付け速度の向上効果が得られるため、その必要性がなく、むしろ前記樹脂層２５と樹脂層２６の接着性が低下し、多層異形共押し出し成形の成形適性も低下するため好ましくない。
以上のような前記樹脂層２５に用いる樹脂と、樹脂層２６に用いる樹脂の種類の選定、および両者の融点の差の設定は、以下の図７の（ロ）、（ハ）、（ニ）に示したチャックテープにおいても同様である。
【００３５】
図７の（ロ）に示したチャックテープ２０b は、前記（イ）に示したチャックテープ２０a の構成において、雄型テープ体２３と雌型テープ体２４のそれぞれの袋に熱接着される面の樹脂層２５とその反対側の面の樹脂層２６との間に、接着性樹脂層２７を追加して積層して構成したものである。
このような構成は、前記袋に熱接着される面の樹脂層２５とその反対側の面の樹脂層２６との接着性が弱い場合に、その接着性を向上させるために採るものであり、具体例として、例えば、袋に熱接着される面の樹脂層２５に低密度ポリエチレンまたは直鎖状低密度ポリエチレンを用い、その反対側の面の樹脂層２６に、それよりも融点の高い樹脂としてポリプロピレンを用いたような場合、両者の接着性は弱くなるが、両者の間に接着性樹脂層２７として、例えば、ポリプロピレン系アドマー〔商品名  三井化学（株）製〕などを積層することにより、接着性を向上させることができる。
【００３６】
図７の（ハ）に示したチャックテープ２０c は、前記（イ）に示したチャックテープ２０a の構成において、雄型テープ体２３の雄型嵌合部２１と雌型テープ体２４の雌型嵌合部２２の形成樹脂のみを、それぞれ袋に熱接着される面の樹脂層２５の樹脂で形成されるように変更して構成したものである。
このような構成を採ることにより、前記（イ）に示した構成のチャックテープ２０a と比較して、雄型嵌合部２１および雌型嵌合部２２を樹脂層２６の樹脂よりも相対的に融点の低い樹脂層２５の樹脂で形成できるので、雄型嵌合部２１および雌型嵌合部２２の柔軟性が高められ、チャックテープ２０c の嵌合および解離を柔らかくすることができる。
【００３７】
図７の（ニ）に示したチャックテープ２０d は、前記（ハ）に示したチャックテープ２０c の構成において、雄型テープ体２３および雌型テープ体２４のそれぞれのテープ体部の袋に熱接着される面の樹脂層２５とその反対側の面の樹脂層２６との間に、接着性樹脂層２７を追加して積層して構成したものである。
このような構成を採った場合も、前記（ロ）に示したチャックテープ２０b の場合と同様に、袋に熱接着される面の樹脂層２５とその反対側の面の樹脂層２６との接着性を向上できるので、両者の樹脂の選定の際に、両者の接着性を気にすることなく融点の差を中心にして選定できるので、樹脂選定の範囲を広げることができる。
【００３８】
以上、図７の（イ）、（ロ）、（ハ）、（ニ）に示したチャックテープ２０a 〜２０d は、いずれも成形金型の変更は必要であるが、多層異形共押し出し成形法により生産性よく製造することができる。
また、実際のチャックテープの使用に際しては、図７の（イ）、（ロ）、（ハ）、（ニ）に示した構成の雄型テープ体２３と雌型テープ体２４の組み合わせだけではなく、異なる構成の雄型テープ体２３と雌型テープ体２４とを組み合わせて使用してもよく、それにより雄型嵌合部２１と雌型嵌合部２２を硬さの異なる樹脂で構成することもできる。
【００３９】
次に、図１、図２に示したチャックテープ付き袋１００は、積層フィルム１の上下両側を内側に積層フィルム折り返し部２a 、２b まで折り込んで、上下に襞状部４a 、４b または襞状部４c 、４d を有するガセット部３a 、３b を形成し、折り返された両側の積層フィルム１の端縁部同士を、図１では上側のガセット部３a の背面側の襞状部４b の上端で突き合わせると共に、突き合わされた両側の積層フィルム１を上方に延長して延長部５を設け、その延長部５の内面に水平方向にチャックテープ２０を熱接着して取り付け、延長部５の上側端縁部を上部シール部７でヒートシールし、更に、上部シール部７とチャックテープ２０との間に、袋の開封手段として切り取り線１０とその両端にノッチ１１a 、１１b を設けて左右の側部が開口する筒状の袋体を形成し、その左右の側部の開口部のうち、図１において左側の側部の端縁部を側部シール部８a でヒートシールして構成したものである。
尚、図１において、チャックテープ付き袋１００の右側の端縁部は、側部シール部８b でヒートシールされるが、この部分は内容物の充填口に使用するため、内容物の充填前は未シールの開口部とし、内容物の充填後にヒートシールして封止される。但し、側部シール部８b のうち、前記延長部５の右側端縁部に相当する部分は、内容物充填時の開口部の形状を安定化させるため、内容物の充填前にヒートシールしておいてもよい。
【００４０】
このような構成のチャックテープ付き袋１００は、請求項１に記載した発明のチャックテープ付き袋の構成に相当するものであり、前述したように、袋の製袋を、袋が横並びに連続する形態で行うことにより、チャックテープ２０の熱接着に関しても、予め雄型テープ体と雌型テープ体とが嵌合された長尺のチャックテープを、そのまま前記延長部５の内面に連続的に挿入して、外側からチャックテープ２０のテープ体部を加熱、加圧する方法で生産性よく熱接着することができる。
また、このような構成を採ることによって得られる作用効果についても、請求項１に記載した発明のチャックテープ付き袋で説明した通りであり、重複を避けるためここでは説明を省略する。
【００４１】
図３、図４に示したチャックテープ付き袋２００は、前記図１、図２に示したチャックテープ付き袋１００の構成において、前記上下のガセット部３a 、３b のそれぞれの前後の襞状部４a 、４b 、４c 、４d のうち、前記延長部５を設けた襞状部４b を除く３箇所の襞状部４a 、４c 、４d の外側端縁部に補強シール部１２a 、１２b 、１２c を追加して設けると共に、前記延長部５を設けた襞状部４b には、チャックテープ２０の下側で延長部５の下縁部から襞状部４b の上縁部に相当する部分に、その前側の襞状部４a の上側端縁部に設けた補強シール部１２a と略重なる高さ位置に水平方向に剥離可能な弱シール部９を追加して設けて、チャックテープ２０が袋の内部と隔離されるように構成したものであり、前記補強シール部１２a 、１２b 、１２c と剥離可能な弱シール部９を追加して設けた以外は、全て前記図１、図２に示したチャックテープ付き袋１００と同様に形成して構成したものである。
【００４２】
このような構成を採ることにより、前記図１、図２に示した構成のチャックテープ付き袋１００で得られる作用効果に加えて、先ず、前記剥離可能な弱シール部９を設けることにより、チャックテープ２０が袋の内部と隔離されるので、内容物が液状や粉状のものであっても、少なくとも袋の最初の開封前に内容物がチャックテープ２０に触れることがなくなり、内容物の安全性が維持されると共に、内容物がチャックテープ２０の嵌合部などに付着してチャックテープ２０の機能を阻害することも防止することができる。
また、前記延長部５を設けた襞状部４b を除く３箇所の襞状部４a 、４c 、４d の外側端縁部に補強シール部１２a 、１２b 、１２c を設けることにより、この部分の剛性などが補強され、また、延長部５を設けた襞状部４b には、その前側の襞状部４a に設けた補強シール部１２a と略同じ高さ位置に同様なパターンで前記剥離可能な弱シール部９が設けられているので、その弱シール部９が補強シール部と同様な作用効果も有し、この部分の剛性などが補強される。従って、袋に内容物が充填されて袋２００が前後に広がった時、それぞれの補強シール部１２a 、１２b 、１２c と弱シール部９により、その内側ラインに沿って袋本体の上下および前後の四隅に横方向に線状の角部が形成され、袋本体の縦断面が矩形に近づき、袋２００の立体形状が一層安定化される。
【００４３】
また、このような構成のチャックテープ付き袋２００は、上下のガセット部３a 、３b の前後の襞状部４a 、４b 、４c 、４d のうち、延長部５を設けた襞状部４b を除く３箇所の襞状部４a 、４c 、４d の外側端縁部に補強シール部１２a 、１２b 、１２c を設け、また、延長部５の上側端縁部には上部シール部７を設けていることから、袋２００の製袋の際、前記図１、図２に示したチャックテープ付き袋１００で説明したように長尺の１ピースの積層フィルムの両側を繰り返し折り返して製袋できるほか、前後の壁面用積層フィルムと上下の折り込み部の積層フィルムがそれぞれ分割された４ピースの積層フィルムを用いて製袋することもできる。この場合、例えば、上下の折り込み部の積層フィルムを前後の壁面用積層フィルムよりも、厚みを薄くして製袋するような方法も採ることができるので、側部シール部８a 、８b のヒートシールの際、積層フィルムの重なりの差による段差を小さくでき、ヒートシールの安定化や積層フィルムの厚み低減によるコストメリットを得ることもできる。
【００４４】
次に、図５、図６に示したチャックテープ付き袋３００は、前記図３、図４に示したチャックテープ付き袋２００の構成において、上下のガセット部３a 、３b の内側に折り込まれる積層フィルム１の左右の側部シール部８a 、８b に含まれる領域内であって、それぞれの左右の端縁部で、且つ外側端部近傍の位置に折り込みフィルム切り欠き部１３a 、１３b 、１３c 、１３d を追加して設けて構成したものである。
【００４５】
このような構成を採ることにより、前記折り込みフィルム切り欠き部１３a 、１３b 、１３c 、１３d を設けた位置で、袋３００の前後の壁面を形成する積層フィルム１同士が熱接着されるため、内容物を充填して袋が前後に広がった時も、この部分の前後の襞状部４a 、４b および襞状部４c 、４d は、前後に広がることがなくなり、図６に示したように、袋３００の本体部が安定した筒状になるので、袋３００の外観を向上させることができる。
【００４６】
本発明のチャックテープ付き袋は、袋の上下にガセット部を設けると共に、上部のガセット部の前後の襞状部のうち、一方の襞状部に、その前後の積層フィルムを上方に延長して延長部を設け、その延長部に上側から上部シール部、袋の開封手段、チャックテープをこの順に設けているので、図には示していないが、上部シール部の面積を大きくすることにより、その部分に吊り下げ用の穴を設けることもできる。
従って、袋に内容物を充填し、密封した後、商品として販売する際、自立性を利用して袋を立てて陳列できるほか、前記吊り下げ用の穴を設けた場合は、吊り下げ用の穴をフックに通して袋を吊り下げて陳列することもできる。
また、袋の前後の壁面のうち前記延長部を設けた側の壁面は、上方に大きく拡大されているので、この面の印刷デザインを大きくすることができ、この袋を用いた商品の販売促進効果を向上させることができる。
【００４７】
また、本発明のチャックテープ付き袋は、袋の製袋と内容物の充填、シールとを、別々の装置を用いてオフラインで行ってもよいが、例えば、縦ピロー形式などの包装機を利用して、これに上下のガセット部の折り込み装置や、チャックテープの供給および熱接着装置、補強シール部のヒートシール装置、ノッチの打ち抜き装置などを付加することにより、袋が横並びにつながった形式で、ロール状に巻き上げられた長尺の印刷済み積層フィルムを繰り出して、ガセット部の折り込みを行うと共に延長部を設け、その内面に予め嵌合された長尺のチャックテープを連続的に挿入して熱接着し、上部シール部および補強シール部などのヒートシールを行い、また、一方の側部シール部のヒートシールとノッチの打ち抜きなどを行った後、開口するもう一方の側部から内容物を充填し、その側部をヒートシールして密封した後、個々の袋に切り離す方法で、製袋と内容物の充填、シールをインラインで行うことができるので、生産性よく袋の製袋と内容物の充填、シールを行なうことができる。
【００４８】
以下に、実施例を挙げて本発明を更に具体的に説明する。
【実施例１】
【００４９】
図３、図４に示した構成のチャックテープ付き袋２００を作製することとし、以下の材料と寸法で一方の側部が開口するチャックテープ付き袋を作製して、実施例１のチャックテープ付き袋とした。
（１）袋の積層フィルムには、下記の構成の積層フィルムを用いた。
（外側）二軸延伸ポリエチレンテレフタレートフィルム（厚み１２μｍ）・絵柄等印刷層／ＬＤＰＥ層（厚み２０μｍ）／縦一軸延伸高密度ポリエチレンフィルム（厚み２５μｍ）／接着剤／Ｌ・ＬＤＰＥフィルム（厚み４０μｍ）
上記構成において、最外層の二軸延伸ポリエチレンテレフタレートフィルムと中間層の縦一軸延伸高密度ポリエチレンフィルムとは、両者の間に接着層としてＬＤＰＥを用いた押し出しラミネーション法で貼り合わせたものであり、中間層の縦一軸延伸高密度ポリエチレンフィルムと最内層のＬ・ＬＤＰＥフィルムとは、接着剤として二液硬化型ポリウレタン系接着剤を用いたドライラミネーション法で貼り合わせて積層したものである。
また、中間層の縦一軸延伸高密度ポリエチレンフィルムは、易開封性手段の一つとしてノッチと組み合わせて積層したものである。
（２）袋の上部の延長部の内面に熱接着して取り付けるチャックテープは、図７の（ハ）に示した構成で、雄型テープ体２３および雌型テープ体２４とも熱接着されるテープ体部が二層の積層構成で、袋に熱接着される面の樹脂層２５がＬ・ＬＤＰＥで形成され、その反対側の面の樹脂層２６がＨＤＰＥで形成され、また、雄型嵌合部２１および雌型嵌合部２２はいずれもＬ・ＬＤＰＥで形成されたもので、テープ体部の幅がいずれも１３ｍｍのものを用いた。
（３）剥離可能な弱シール部９としては、ＥＶＡ系樹脂のエマルジョン〔セイカダイン１９００Ｗ  商品名  大日精化工業（株）製〕に更にシリカの粉末を固形分で１０質量％含有されるように添加して塗布液を作製し、これを上部のガセット部３a の延長部５を設けた側の襞状部４b の両側の積層フィルムの内面で、剥離可能な弱シール部９で示した領域（但し、側部シール部８a 、８b には入らない領域）に、予めグラビア印刷で乾燥時の塗布量が約３ｇ／ｍ2 となるようにパターン状に印刷しておいて、この部分を前側の襞状部４a の補強シール部１２a をヒートシールする際、同時にヒートシールして剥離可能な弱シール部９を形成した。
（４）チャックテープ付き袋２００の寸法は、外形寸法が縦１６０ｍｍ、横１８０ｍｍの長方形で、上下のガセット部３a 、３b の折り込み長さは、各４０ｍｍ、延長部５の長さは３５ｍｍとし、両側の側部シール部８a 、８b の幅は、各１０ｍｍとし、内容物の充填前は側部シール部８a のみをヒートシールし、側部シール部８b は未シールの開口部とした。
また、補強シール部１２a 、１２b 、１２c は、それぞれシール幅を６ｍｍとした。
延長部５には、その上部の端縁部を幅６ｍｍの上部シール部７でヒートシールし、その下に５ｍｍの間隔をあけて印刷による切り取り線１０を設け、その両端にノッチ１１a 、１１b を設け、更にその下に５ｍｍの間隔をあけて前記チャックテープ２０c （幅１３ｍｍ）を熱接着して取り付けた。
【実施例２】
【００５０】
図５、図６に示した構成のチャックテープ付き袋３００を作製することとし、前記実施例１のチャックテープ付き袋２００の構成において、上下のガセット部３a 、３b の内側に折り込まれる積層フィルム１の左右の側部シール部８a 、８b に含まれる領域内であって、それぞれの左右の端縁部で、且つ外側端部近傍の位置に、予め折り込みフィルム切り欠き部１３a 、１３b 、１３c 、１３d を追加して設けておいて、側部シール部８a 、８b のヒートシールを行なうようにしたほかは、全て実施例１と同様に加工して実施例２のチャックテープ付き袋を作製した。
尚、前記実施例１および実施例２のチャックテープ付き袋において、内容物の充填口として未シールの開口部とした側部シール部８b のうち、少なくとも上部の延長部５に含まれる部分は、内容物の充填前にヒートシールしておくことが好ましい。
【００５１】
以上のように作製した実施例１および実施例２のチャックテープ付き袋に、それぞれ開口する側部シール部８b の部分から、内容物としてひねり包装したキャンデーを充填し、次いで、側部シール部８b をヒートシールして実施例１および実施例２のチャックテープ付き袋による包装体を完成させた。
【００５２】
以上のように作製した実施例１および実施例２のチャックテープ付き袋による包装体は、いずれも内容物により袋が前後に大きく広がり、補強シール部１２a 、１２b 、１２c と剥離可能な弱シール部９による補強効果もあり、安定した立体形状と自立性を備えていた。特に実施例２のチャックテープ付き袋による包装体は、上下のガセット部３a 、３b のそれぞれの左右の端縁部で、且つ外側端部近傍の位置に、前記折り込みフィルム切り欠き部１３a 、１３b 、１３c 、１３d が設けられているので、この部分で前後の襞状部が熱接着され、袋本体が図６に示すような筒状体となり、外観が一層優れていた。
【００５３】
また、それぞれの包装体について、その開封性と内容物の取り出し適性、およびチャックテープによる再封性をテストしたところ、いずれも延長部５に開封手段として印刷による切り取り線１０と共に、その両端にノッチ１１a 、１１b が設けられ、また、積層フィルム１の中間層には縦一軸延伸高密度ポリエチレンフィルムが積層されているので、ノッチ１１a 、１１b を引き裂きの開始点として、切り取り線１０に沿って容易に上部シール部７を切り取ってチャックテープ２０c の上部を開封することができた。
次いで、開封されたチャックテープ２０c の上部の両側の積層フィルムを摘んで両側に引き離すことにより、チャックテープ２０c の嵌合を容易に解離させることができ、続いて、剥離可能な弱シール部９を両側に引き剥がすことにより、特に大きな力を必要とすることもなく容易に剥離させることができ、それぞれの袋の上部を大きく開口させることができた。
因みに、上記剥離可能な弱シール部９のシール強度は、４〜８Ｎ／１５ｍｍ幅の範囲であった。
従って、充填された内容物（キャンデー）の取り出しも容易であり、また、内容物の一部を取り出した後は、実施例１および実施例２のチャックテープ付き袋による包装体とも、容易にチャックテープを再嵌合させて袋を再封することができ、残りの内容物を安全に保存することができた。
【産業上の利用可能性】
【００５４】
本発明のチャックテープ付き袋は、立体形状の保形性、および自立性を有すると同時に、開封性および再封性に優れ、しかも袋の上部を大きく開口させることができ、内容物が固形物であってもその取り出しが容易で、充填された内容物を少量ずつ複数回に分けて使用する場合に好適に使用できるものであり、内容物に関しては、固形物はもとより、粒状、粉状、液状など広範囲の内容物に使用でき特に制限はない。
【図面の簡単な説明】
【００５５】
【図１】本発明のチャックテープ付き袋の第１の実施例の構成を示す正面図である。
【図２】図１に示したチャックテープ付き袋のＡ−Ａ線における模式断面図である。
【図３】本発明のチャックテープ付き袋の第２の実施例の構成を示す正面図である。
【図４】図３に示したチャックテープ付き袋のＡ−Ａ線における模式断面図である。
【図５】本発明のチャックテープ付き袋の第３の実施例の構成を示す正面図である。
【図６】図５に示したチャックテープ付き袋に内容物を充填した時の形状を示す模式斜視図である。
【図７】（イ）、（ロ）、（ハ）、（ニ）は、それぞれ本発明のチャックテープ付き袋に用いるチャックテープの一例の構成を示す模式断面図である。
【符号の説明】
【００５６】
１  積層フィルム
２a 、２b   積層フィルム折り返し部
３a 、３b   ガセット部
４a 、４b 、４c 、４d   襞状部
５  延長部
６  チャックテープ接着部
７  上部シール部
８a 、８b   側部シール部
９  剥離可能な弱シール部
１０  切り取り線
１１a 、１１b   ノッチ
１２a 、１２b 、１２c   補強シール部
１３a 、１３b 、１３c 、１３d   折り込みフィルム切り欠き部
２０、２０a 、２０b 、２０c 、２０d   チャックテープ
２１  雄型嵌合部
２２  雌型嵌合部
２３  雄型テープ体
２４  雌型テープ体
２５  袋に熱接着される面の樹脂層
２６  樹脂層
２７  接着性樹脂層
１００、２００、３００  チャックテープ付き袋
【図１】
2005231677.tif 000003
【図２】
2005231677.tif 000004
【図３】
2005231677.tif 000005
【図４】
2005231677.tif 000006
【図５】
2005231677.tif 000007
【図６】
2005231677.tif 000008
【図７】
2005231677.tif 000009